(57)【要約】リアプロジェクションディスプレイにスクリーンを取り付けるためのスクリーンフレームが開示されている。スクリーンフレームは、突出部及びコーナーブラケットを使用し作られている。スクリーンフレームは、スクリーンの周囲に約１１．５ｍｍの縁を有している。スクリーンフレームは、スクリーンがフロントキャビネットに突き出るようにフロントディスプレイキャビネットに取り付けられている。
2007503619.tif 000002
【特許請求の範囲】
【請求項１】
プロジェクションディスプレイ用スクリーンフレームであって、
複数のコーナーブラケットと、
複数の突出部と、
を含み、
各突出部は、コーナーブラケットが配置される第１溝及びスクリーンが配置される第２溝を有し、
前記スクリーンフレーム及びスクリーンが、前記プロジェクションディスプレイのディスプレイキャビネットから突き出るところのスクリーンフレーム。
【請求項２】
前記突出部が、金属及びプラスチックを含む群から選択される材料から形成される請求項１記載のスクリーンフレーム。
【請求項３】
前記コーナーブラケットが、金属及びプラスチックを含む群から選択された材料から構成される請求項１記載のスクリーンフレーム。
【請求項４】
各コーナーブラケットが、前記ブラケットを突出部に固定するために、少なくとも単一の溝を有している請求項１記載のスクリーンフレーム。
【請求項５】
各コーナーブラケットが少なくとも単一の止め部を有している請求項１記載のスクリーンフレーム。
【請求項６】
スクリーンフレームを有するプロジェクションディスプレイであって、
複数のコーナーブラケットと、
複数の突出部
とを含み、
各突出部は、コーナーブラケットが配置される第１溝及びスクリーンが配置される第２溝を有し、
スクリーンフレーム及びスクリーンがプロジェクションディスプレイのディスプレイキャビネットから突き出るところのプロジェクションディスプレイ。
【請求項７】
前記突出部が、金属及びプラスチックを含む群から選択された材料から構成される請求項６記載のプロジェクションディスプレイ。
【請求項８】
前記コーナーブラケットが、金属及びプラスチックを含む群から選択された材料から構成される請求項６記載のプロジェクションディスプレイ。
【請求項９】
各コーナーブラケットが、前記ブラケットを突出部に固定するために、少なくとも単一の溝を有している請求項６記載のプロジェクションディスプレイ。
【請求項１０】
各コーナーブラケットが少なくとも単一の止め部を有している請求項６記載のプロジェクションディスプレイ。
【発明の詳細な説明】
【技術分野】
【０００１】
本発明は、ディスプレイ、特にリアプロジェクションディスプレイに関する。
【背景技術】
【０００２】
リアプロジェクションディスプレイの大部分は、プラスチックキャビネット内にスクリーンが取り付けられている。結果として、これらのスクリーンは、通常、約２０ｍｍの厚みを超える厚い縁を有している。このような厚い縁は、望ましくない、スクリーンの見える画像領域を減少させてしまうということがある。
【発明の開示】
【発明が解決しようとする課題】
【０００３】
よって、スクリーンの見える画像領域を増加させた、改善されたスクリーン取り付け装置が必要である。
【課題を解決するための手段】
【０００４】
本発明は、リアプロジェクションディスプレイにスクリーンを取り付けるスクリーンフレームを対象とする。スクリーンフレームは、突出部及びコーナーブラケットを使用し作られている。押し出し成形及びコーナーブラケットは、スクリーンをディスプレイキャビネットに保持するために、薄いフレームと一体となっている。スクリーンフレームは、スクリーンの周囲に約１１．５ｍｍの縁を有している。スクリーンフレームは、スクリーンがフロントキャビネットから突出するようにフロントディスプレイキャビネットに取り付けられている。
【発明を実施するための最良の形態】
【０００５】
本発明は、添付の図面を参照しながら以下に具体的に説明する。
【０００６】
本発明は、リアプロジェクションディスプレイにスクリーンを取り付けるためのスクリーンフレームを対象とする。図１に関して、スクリーンフレーム１は、スクリーン６がキャビネットの前に突出するように、ディスプレイキャビネット１０のフロントに取り付けられている（図２Ｂ）。スクリーンフレームは、突出部５及びコーナーブラケット２５を利用し作られている（図１及び３）。突出部５及びコーナーブラケット２５は、図４Ａ〜４Ｂに示しているように一体となり、ディスプレイキャビネット１０にあるスクリーン６を保持するための薄いフレームを形成する（図１）。スクリーンフレーム１は、スクリーン６の周囲に約１１．５ｍｍの縁を有している（図２Ａ）。
【０００７】
突出部５は、金属、例えば、アルミニウム（Ａｌ）又はプラスチックによって構成されていてもよく、適した方法、例えば、特に、シート金属成形、ロール成形、ダイカスト成形、及び押し出し成形によって成形されていてもよい。
【０００８】
各コーナーブラケット２５は、突出部５にブラケットを固定するための切り込み２７及び均一にフレーム１のコーナーを形成するための位置止め部２８を含んでいる（図３）。
【０００９】
図１に関して、各突出部５はスクリーン６を保持するための溝１１及びコーナーブラケット２５を保持するための溝１２を含んでいる。スクリーン６にスクリーンフレーム１を取り付けるために、コーナーブラケット２５は、突出部の１つにある溝１２に位置される（図４Ａ）。位置止め部２８は、フレーム１のコーナーが適切に位置合わせされるように、突出部５を位置付ける。２つ目の突出部５は、スクリーンフレーム１の１つのコーナーを形成するため、２つ目のブラケット溝１２に沿ったコーナーブラケットに取り付けられる（図４Ｂ）。コーナーブラケット２５は、ロッキングねじ（図示せず）によって突出部５に固定される。
【００１０】
２つのコーナーブラケット２５及び突出部５は一体となり、それによってフレーム１に３つの側面を与える。その後、スクリーン６は、突出部５のスクリーン溝１１にスライドさせて入れられる。フレームの４つ目の側面は、その後、４つ目の突出部５及びコーナーブラケット２５をスライドさせて位置につけ、固定することによってスクリーンに固定される。
【００１１】
上記は、本発明を実施するためのいくつかの可能性について示している。発明の範囲内で、その他多くの実施例が可能である。よって、上記の説明は、実施例であり、限定するものではない。そして、本発明の範囲は、添付の請求項及びあらゆる同等のものと併せて与えられている。
【発明の詳細な説明】
【００１２】
［関連出願の相互参照］
本出願は２００３年８月２６日に出願された米国仮出願Ｎｏ．６０／４９８，２６２「リアプロジェクションディスプレイのスクリーンフレーム用突出部及びコーナーブラケット」の利益を請求する。前記仮出願の全体が本出願に関する参照として本明細書に組み込まれる。
【図面の簡単な説明】
【００１３】
【図１】ディスプレイキャビネットのフロント面にスクリーン及びスクリーンフレームが取り付けられた１つの実施例の断面図を示している。
【図２Ａ】図１に示したスクリーン及びスクリーンフレームのフロント及び側面図を示している。
【図２Ｂ】図１に示したスクリーン及びスクリーンフレームのフロント及び側面図を示している。
【図３】突出部を共に保持するためのコーナーブラケットの側面図を示している。
【図４Ａ】図１及び３に示したコーナーブラケット及びスクリーンの拡大側面図を示している。
【図４Ｂ】図１及び３に示したコーナーブラケット及びスクリーンの拡大側面図を示している。
【図１】
2007503619.tif 000003
【図２Ａ】
2007503619.tif 000004
【図２Ｂ】
2007503619.tif 000005
【図３】
2007503619.tif 000006
【図４Ａ】
2007503619.tif 000007
【図４Ｂ】
2007503619.tif 000008
【国際調査報告】
2007503619.tif 000009